(57)【要約】  第一の集音拡声位置から発せられる音を集音する第一マイクから得られる第一集音信号に含まれる雑音成分の大きさの推定値である第一雑音レベルを求め、第二の集音拡声位置から発せられる音を集音する第二マイクから得られる第二集音信号に含まれる雑音成分の大きさの推定値である第二雑音レベルを求め、第二雑音レベルに対応する第二の集音拡声位置の搭乗者の位置での雑音の大きさの推定値である第二騒音レベルに対する、第一雑音レベルを第二の集音拡声位置に設置される第二スピーカから再生した場合の第二の集音拡声位置の搭乗者の位置での雑音の大きさの推定値である再生騒音レベルの比を求め、この比と雑音抑圧量との積が予め設定した定数となるように雑音抑圧量を求める。
2020027062.tif 000002
【特許請求の範囲】
【請求項１】
車両に搭載される集音拡声装置であって、
車両内には少なくとも第一の集音拡声位置と第二の集音拡声位置とが想定されるものとし、
第一の集音拡声位置から発せられる音を集音する第一マイクから得られる第一集音信号に含まれる雑音成分の大きさの推定値である第一雑音レベルを求める第一雑音レベル推定部と、
第二の集音拡声位置から発せられる音を集音する第二マイクから得られる第二集音信号に含まれる雑音成分の大きさの推定値である第二雑音レベルを求める第二雑音レベル推定部と、
前記第二雑音レベルに対応する前記第二の集音拡声位置の搭乗者の位置での雑音の大きさの推定値である第二騒音レベルに対する、前記第一雑音レベルを前記第二の集音拡声位置に設置される第二スピーカから再生した場合の前記第二の集音拡声位置の搭乗者の位置での雑音の大きさの推定値である再生騒音レベルの比を求め、この比と雑音抑圧量との積が予め設定した定数となるように前記雑音抑圧量を求める抑圧量設定部と、
前記雑音抑圧量を前記第一集音信号に乗じ、前記第二の集音拡声位置に設置される第二スピーカに出力する雑音抑圧部と、を含む、
集音拡声装置。
【請求項２】
車両に搭載される集音拡声装置であって、
車両内には少なくとも第一の集音拡声位置と第二の集音拡声位置とが想定されるものとし、
第一の集音拡声位置から発せられる音を集音する第一マイクから得られる第一集音信号に含まれる雑音成分の大きさの推定値である第一雑音レベルを求める第一雑音レベル推定部と、
前記第一雑音レベルを前記第二の集音拡声位置に設置される第二スピーカから再生した場合の前記第二の集音拡声位置の搭乗者の位置での雑音の大きさの推定値である再生騒音レベルと雑音抑圧量との積が予め設定した定数となるように前記雑音抑圧量を求める抑圧量設定部と、
前記雑音抑圧量を前記第一集音信号に乗じ、前記第二の集音拡声位置に設置される第二スピーカに出力する雑音抑圧部と、を含む、
集音拡声装置。
【請求項３】
車両に搭載される集音拡声装置であって、
車両内には少なくとも第一の集音拡声位置と第二の集音拡声位置とが想定されるものとし、
(i)前記車両に搭載される車載用音響装置の音量、
(ii)前記車両に搭載される空調機器の設定値、
(iii)前記車両の走行速度、
の少なくとも何れかから、第一の集音拡声位置から発せられる音を集音する第一マイクから得られる第一集音信号に含まれる雑音成分の大きさの推定値である第一雑音レベルを求める第一雑音レベル推定部と、
(i)前記車両に搭載される車載用音響装置の音量、
(ii)前記車両に搭載される空調機器の設定値、
(iii)前記車両の走行速度、
の少なくとも何れかから、第二の集音拡声位置から発せられる音を集音する第二マイクから得られる第二集音信号に含まれる雑音成分の大きさの推定値である第二雑音レベルを求める雑音レベル推定部と、
前記第二雑音レベルに対応する前記第二の集音拡声位置の搭乗者の位置での雑音の大きさの推定値である第二騒音レベルに対する、前記第一雑音レベルを前記第二の集音拡声位置に設置される第二スピーカから再生した場合の前記第二の集音拡声位置の搭乗者の位置での雑音の大きさの推定値である再生騒音レベルの比を求め、この比と雑音抑圧量との積が予め設定した定数となるように前記雑音抑圧量を求める抑圧量設定部と、
前記雑音抑圧量を前記第一集音信号に乗じ、前記第二の集音拡声位置に設置される第二スピーカに出力する雑音抑圧部と、を含む、
集音拡声装置。
【請求項４】
車両に搭載される集音拡声装置であって、
車両内には少なくとも第一の集音拡声位置と第二の集音拡声位置とが想定されるものとし、
(i)前記車両に搭載される車載用音響装置の音量、
(ii)前記車両に搭載される空調機器の設定値、
(iii)前記車両の走行速度、
の少なくとも何れかから、第一の集音拡声位置から発せられる音を集音する第一マイクから得られる第一集音信号に含まれる雑音成分の大きさの推定値である第一雑音レベルを求める第一雑音レベル推定部と、
前記第一雑音レベルを前記第二の集音拡声位置に設置される第二スピーカから再生した場合の前記第二の集音拡声位置の搭乗者の位置での雑音の大きさの推定値である再生騒音レベルと雑音抑圧量との積が予め設定した定数となるように前記雑音抑圧量を求める抑圧量設定部と、
前記雑音抑圧量を前記第一集音信号に乗じ、前記第二の集音拡声位置に設置される第二スピーカに出力する雑音抑圧部と、を含む、
集音拡声装置。
【請求項５】
車両に搭載される集音拡声装置を用いる集音拡声方法であって、
車両内には少なくとも第一の集音拡声位置と第二の集音拡声位置とが想定されるものとし、
前記集音拡声装置が、第一の集音拡声位置から発せられる音を集音する第一マイクから得られる第一集音信号に含まれる雑音成分の大きさの推定値である第一雑音レベルを求める第一雑音レベル推定ステップと、
前記集音拡声装置が、第二の集音拡声位置から発せられる音を集音する第二マイクから得られる第二集音信号に含まれる雑音成分の大きさの推定値である第二雑音レベルを求める第二雑音レベル推定ステップと、
前記集音拡声装置が、前記第二雑音レベルに対応する前記第二の集音拡声位置の搭乗者の位置での雑音の大きさの推定値である第二騒音レベルに対する、前記第一雑音レベルを前記第二の集音拡声位置に設置される第二スピーカから再生した場合の前記第二の集音拡声位置の搭乗者の位置での雑音の大きさの推定値である再生騒音レベルの比を求め、この比と雑音抑圧量との積が予め設定した定数となるように前記雑音抑圧量を求める抑圧量設定ステップと、
前記集音拡声装置が、前記雑音抑圧量を前記第一集音信号に乗じ、前記第二の集音拡声位置に設置される第二スピーカに出力する雑音抑圧ステップと、を含む、
集音拡声方法。
【請求項６】
車両に搭載される集音拡声装置を用いる集音拡声方法であって、
車両内には少なくとも第一の集音拡声位置と第二の集音拡声位置とが想定されるものとし、
前記集音拡声装置が、第一の集音拡声位置から発せられる音を集音する第一マイクから得られる第一集音信号に含まれる雑音成分の大きさの推定値である第一雑音レベルを求める第一雑音レベル推定ステップと、
前記集音拡声装置が、前記第一雑音レベルを前記第二の集音拡声位置に設置される第二スピーカから再生した場合の前記第二の集音拡声位置の搭乗者の位置での雑音の大きさの推定値である再生騒音レベルと雑音抑圧量との積が予め設定した定数となるように前記雑音抑圧量を求める抑圧量設定ステップと、
前記集音拡声装置が、前記雑音抑圧量を前記第一集音信号に乗じ、前記第二の集音拡声位置に設置される第二スピーカに出力する雑音抑圧ステップと、を含む、
集音拡声方法。
【請求項７】
請求項１から請求項４の何れかの集音拡声装置としてコンピュータを機能させるためのプログラム。
【請求項８】
車両に搭載される集音拡声装置であって、
車両内には少なくとも第一の集音拡声位置と第二の集音拡声位置とが想定されるものとし、
第一の集音拡声位置から発せられる音を集音する第一マイクから得られる第一集音信号に含まれる雑音を抑圧する雑音抑圧部と、
第二の集音拡声位置から発せられる音を集音する第二マイクから得られる第二集音信号に含まれる雑音成分の大きさである第二雑音レベルを取得する第二雑音レベル取得部と、を有し、
前記雑音抑圧部は、前記第二雑音レベルが大きいほど大きくなり、前記第二雑音レベルが小さいほど小さくなる抑圧量を用いて前記雑音を抑圧する、
集音拡声装置。
【発明の詳細な説明】
【技術分野】
【０００１】
本発明は、マイクとスピーカを用いて車両内で会話を円滑に行う集音拡声技術に関する。
【背景技術】
【０００２】
インカーコミュニケーションや会話アシストと呼ばれる機能が自動車に搭載されつつある(非特許文献１参照)。これは前席に乗車している人の声をマイク９１Ｆで集音して後席のスピーカ９２Ｒで再生することで会話を行いやすくするものである（図１参照）。さらに後席の音声をマイク９１Ｒで集音して前席のスピーカ９２Ｆで再生するものもある。【０００３】
インカーコミュニケーションでは、マイクで集音した音を、そのままスピーカに再生した場合、音声とともに走行音などの騒音もスピーカから再生され、スピーカから騒音が聞こえてしまう。これを防止するために雑音抑圧を行う。【０００４】
従来技術では、あらかじめ設定した雑音抑圧量で雑音の抑圧を行う（図２参照）。例えば、雑音抑圧部９４Ｆは、抑圧量設定部９３Ｆで設定された抑圧量を受け取り、マイク９１Ｒで集音した集音信号に抑圧量を乗じて、スピーカ９２Ｆに出力する。
【先行技術文献】
【非特許文献】
【０００５】
【非特許文献１】"「インテリジェントマイク for car」の技術について"、［online］、2018年、日本電信電話株式会社、[平成30年5月24日]、インターネット<URL:http://www.ntt.co.jp/news2018/1802/pdf/180219c.pdf>
【発明の概要】
【発明が解決しようとする課題】
【０００６】
しかしながら、従来技術の構成では、マイク９１Ｒ側の騒音が大きく、スピーカ９２Ｆ側の騒音が小さい場合、雑音抑圧が不十分となり、スピーカ９２Ｆから出力される騒音が知覚できる大きさとなってしまうことがある。また、マイク９１Ｒ側の騒音が小さく、スピーカ９２Ｆ側の騒音が大きい場合、雑音抑圧が必要以上に強くなり、音声の劣化が知覚されてしまうことがある。このシステムを導入したことにより、騒音が増えることは、会話していないときもずっと騒音を増やすことになり、ユーザの評価を著しく下げることになる。言い換えると、このシステムを導入したことにより、スピーカから騒音が出ていることが知覚されることは、音声信号がないときに、遠方のマイクから集音された音に信号処理を行うと騒音を増やしてしまうことになり、ユーザの評価を著しく下げることになる。そこで、本発明は、最低でもスピーカから雑音が出ているとユーザに知覚されない、もしくは知覚されても気にならない程度までスピーカから出力される雑音を小さくすることを必須条件とし、この条件の中で最も音質の劣化のない状態を実現することを目標とする。人間は環境雑音が大きければ音声信号の劣化には気づきづらいが、人間は環境雑音が小さければ音声信号の劣化に気づきやすい。つまり、本発明は、環境雑音の大きさが大きいほど遠方で集音された音に対して雑音抑圧を強く行い、環境雑音の大きさが小さいほど遠方で集音された音に対して雑音抑圧を弱く行うことで、環境雑音が受聴位置によって異なることが多い自動車においても人間が音声の劣化に気づきづらい雑音抑圧を受聴位置毎に行うこと、を目標とすると言い換えてもよい。【０００７】
本発明は、マイク側とスピーカ側の騒音レベルに応じて、適切な雑音抑圧量を設定することができる集音拡声装置、その方法、およびプログラムを提供することを目的とする。
【課題を解決するための手段】
【０００８】
上記の課題を解決するために、本発明の一態様によれば、集音拡声装置は、車両に搭載される。集音拡声装置は、車両内には少なくとも第一の集音拡声位置と第二の集音拡声位置とが想定されるものとし、第一の集音拡声位置から発せられる音を集音する第一マイクから得られる第一集音信号に含まれる雑音成分の大きさの推定値である第一雑音レベルを求める第一雑音レベル推定部と、第二の集音拡声位置から発せられる音を集音する第二マイクから得られる第二集音信号に含まれる雑音成分の大きさの推定値である第二雑音レベルを求める第二雑音レベル推定部と、第二雑音レベルに対応する第二の集音拡声位置の搭乗者の位置での雑音の大きさの推定値である第二騒音レベルに対する、第一雑音レベルを第二の集音拡声位置に設置される第二スピーカから再生した場合の第二の集音拡声位置の搭乗者の位置での雑音の大きさの推定値である再生騒音レベルの比を求め、この比と雑音抑圧量との積が予め設定した定数となるように雑音抑圧量を求める抑圧量設定部と、雑音抑圧量を第一集音信号に乗じ、第二の集音拡声位置に設置される第二スピーカに出力する雑音抑圧部と、を含む。【０００９】
上記の課題を解決するために、本発明の他の態様によれば、集音拡声装置は、車両に搭載される。集音拡声装置は、車両内には少なくとも第一の集音拡声位置と第二の集音拡声位置とが想定されるものとし、第一の集音拡声位置から発せられる音を集音する第一マイクから得られる第一集音信号に含まれる雑音成分の大きさの推定値である第一雑音レベルを求める第一雑音レベル推定部と、第一雑音レベルを第二の集音拡声位置に設置される第二スピーカから再生した場合の第二の集音拡声位置の搭乗者の位置での雑音の大きさの推定値である再生騒音レベルと雑音抑圧量との積が予め設定した定数となるように雑音抑圧量を求める抑圧量設定部と、雑音抑圧量を第一集音信号に乗じ、第二の集音拡声位置に設置される第二スピーカに出力する雑音抑圧部と、を含む。【００１０】
上記の課題を解決するために、本発明の他の態様によれば、集音拡声装置は、車両に搭載される。集音拡声装置は、車両内には少なくとも第一の集音拡声位置と第二の集音拡声位置とが想定されるものとし、(i)車両に搭載される車載用音響装置の音量、(ii)車両に搭載される空調機器の設定値、(iii)車両の走行速度、の少なくとも何れかから、第一の集音拡声位置から発せられる音を集音する第一マイクから得られる第一集音信号に含まれる雑音成分の大きさの推定値である第一雑音レベルを求める第一雑音レベル推定部と、(i)車両に搭載される車載用音響装置の音量、(ii)車両に搭載される空調機器の設定値、(iii)車両の走行速度、の少なくとも何れかから、第二の集音拡声位置から発せられる音を集音する第二マイクから得られる第二集音信号に含まれる雑音成分の大きさの推定値である第二雑音レベルを求める雑音レベル推定部と、第二雑音レベルに対応する第二の集音拡声位置の搭乗者の位置での雑音の大きさの推定値である第二騒音レベルに対する、第一雑音レベルを第二の集音拡声位置に設置される第二スピーカから再生した場合の第二の集音拡声位置の搭乗者の位置での雑音の大きさの推定値である再生騒音レベルの比を求め、この比と雑音抑圧量との積が予め設定した定数となるように雑音抑圧量を求める抑圧量設定部と、雑音抑圧量を第一集音信号に乗じ、第二の集音拡声位置に設置される第二スピーカに出力する雑音抑圧部と、を含む。【００１１】
上記の課題を解決するために、本発明の他の態様によれば、集音拡声装置は、車両に搭載される。集音拡声装置は、車両内には少なくとも第一の集音拡声位置と第二の集音拡声位置とが想定されるものとし、(i)車両に搭載される車載用音響装置の音量、(ii)車両に搭載される空調機器の設定値、(iii)車両の走行速度、の少なくとも何れかから、第一の集音拡声位置から発せられる音を集音する第一マイクから得られる第一集音信号に含まれる雑音成分の大きさの推定値である第一雑音レベルを求める第一雑音レベル推定部と、第一雑音レベルを第二の集音拡声位置に設置される第二スピーカから再生した場合の第二の集音拡声位置の搭乗者の位置での雑音の大きさの推定値である再生騒音レベルと雑音抑圧量との積が予め設定した定数となるように雑音抑圧量を求める抑圧量設定部と、雑音抑圧量を第一集音信号に乗じ、第二の集音拡声位置に設置される第二スピーカに出力する雑音抑圧部と、を含む。【００１２】
上記の課題を解決するために、本発明の他の態様によれば、集音拡声装置は、車両に搭載される。集音拡声装置は、車両内には少なくとも第一の集音拡声位置と第二の集音拡声位置とが想定されるものとし、第一の集音拡声位置から発せられる音を集音する第一マイクから得られる第一集音信号に含まれる雑音を抑圧する雑音抑圧部と、第二の集音拡声位置から発せられる音を集音する第二マイクから得られる第二集音信号に含まれる雑音成分の大きさである第二雑音レベルを取得する第二雑音レベル取得部と、を有し、雑音抑圧部は、第二雑音レベルが大きいほど大きくなり、第二雑音レベルが小さいほど小さくなる抑圧量を用いて雑音を抑圧する。
【発明の効果】
【００１３】
本発明によれば、適切な雑音抑圧量を設定することができるという効果を奏する。
【図面の簡単な説明】
【００１４】
【図１】本実施形態の車両の説明をするための図。
【図２】従来技術を説明するための図。
【図３】第一実施形態に係る集音拡声装置の機能ブロック図。
【図４】第一実施形態に係る集音拡声装置の処理フローの例を示す図。
【図５】第一実施形態に係る雑音レベル推定部の機能ブロック図。
【図６】第一実施形態に係る抑圧量設定部の処理フローの例を示す図。
【図７】第一実施形態の変形例に係る集音拡声装置の機能ブロック図。
【図８】第二実施形態に係る集音拡声装置の機能ブロック図。
【図９】第二実施形態に係る集音拡声装置の処理フローの例を示す図。
【図１０】第二実施形態に係る抑圧量設定部の処理フローの例を示す図。
【図１１】第二実施形態の変形例に係る集音拡声装置の機能ブロック図。
【図１２】第三実施形態に係る集音拡声装置の機能ブロック図。
【図１３】第三実施形態に係る集音拡声装置の処理フローの例を示す図。
【図１４】第三実施形態と第一実施形態の変形例との組合せに係る集音拡声装置の機能ブロック図。
【図１５】第三実施形態と第二実施形態の組合せに係る集音拡声装置の機能ブロック図。
【発明を実施するための形態】
【００１５】
以下、本発明の実施形態について、説明する。なお、以下の説明に用いる図面では、同じ機能を持つ構成部や同じ処理を行うステップには同一の符号を記し、重複説明を省略する。以下の説明において、ベクトルや行列の各要素単位で行われる処理は、特に断りが無い限り、そのベクトルやその行列の全ての要素に対して適用されるものとする。
【００１６】
＜第一実施形態＞
図３は第一実施形態に係る集音拡声装置の機能ブロック図を、図４はその処理フローを示す。
【００１７】
集音拡声装置は、雑音レベル推定部１０１Ｆ，１０１Ｒと、抑圧量設定部１０３Ｆ，１０３Ｒと、雑音抑圧部９４Ｆ，９４Ｒとを含む。
【００１８】
集音拡声装置は、マイク９１Ｆ，９１Ｒから得られる集音信号XF,XRを入力とし、集音信号XF,XRに含まれる雑音成分を抑圧して、再生信号YR,YFを生成し、スピーカ９２Ｒ，９２Ｆに出力する。なお、信号XF,XR,YF,YRは、それぞれの信号のある周波数成分の複素数表示である。ここで、周波数領域の信号XF,XR,YF,YRをそのまま入出力としてもよいし、時間領域の信号を入力とし図示しない周波数領域変換部において周波数領域の信号XF,XRに変換(例えばフーリエ変換等)して用いてもよいし、周波数領域の信号YF,YRを図示しない時間領域変換部において時間領域の信号に変換(例えば逆フーリエ変換等)して出力してもよい。
【００１９】
本実施形態では、集音拡声装置が搭載される車両は、図１のような構造とし、３列シートを備える。さらに、本実施形態の車両は、主に１列目の話者の音声を集音するマイク９１Ｆと、主に３列目の話者の音声を集音するマイク９１Ｒとを備える。マイク９１Ｆ、９１Ｒは、それぞれM個のマイクで構成される。なお、Ｆ，Ｒはそれぞれ車両の進行方向に対して前方、後方を示すインデックスである。さらに、本実施形態の車両は、１列目の座席の聴取者に対して音を再生するスピーカ９２Ｆと、３列目の座席の聴取者に対して音を再生するスピーカ９２Ｒとを備える。各スピーカ９２Ｆ，９２ＲはそれぞれN個のスピーカで構成される。ただし、Nは1以上の整数の何れかであり、再生信号のチャネル数を表す。
【００２０】
集音拡声装置は、例えば、中央演算処理装置（CPU: Central Processing Unit）、主記憶装置（RAM: Random Access Memory）などを有する公知又は専用のコンピュータに特別なプログラムが読み込まれて構成された特別な装置である。集音拡声装置は、例えば、中央演算処理装置の制御のもとで各処理を実行する。集音拡声装置に入力されたデータや各処理で得られたデータは、例えば、主記憶装置に格納され、主記憶装置に格納されたデータは必要に応じて中央演算処理装置へ読み出されて他の処理に利用される。集音拡声装置の各処理部は、少なくとも一部が集積回路等のハードウェアによって構成されていてもよい。集音拡声装置が備える各記憶部は、例えば、RAM（Random Access Memory）などの主記憶装置、またはリレーショナルデータベースやキーバリューストアなどのミドルウェアにより構成することができる。ただし、各記憶部は、必ずしも集音拡声装置がその内部に備える必要はなく、ハードディスクや光ディスクもしくはフラッシュメモリ（Flash Memory）のような半導体メモリ素子により構成される補助記憶装置により構成し、集音拡声装置の外部に備える構成としてもよい。
【００２１】
以下、各部について説明する。
【００２２】
＜雑音レベル推定部１０１Ｆ，１０１Ｒ＞
雑音レベル推定部１０１Ｆは、集音信号XFを入力とし、集音信号XFに含まれる雑音成分の大きさの推定値である雑音レベルNFを求め（Ｓ１０１Ｆ）、出力する。以下では、周波数毎、フレーム毎の処理であることを明示するために集音信号XF、雑音レベルNFをそれぞれXF(ω,n),NF(ω,n)と表す。なお、ωは周波数を表し、nはフレーム番号を表す。
【００２３】
図５に、雑音レベル推定部１０１Ｆのより具体的な機能構成例を示す。雑音レベル推定部１０１Ｆは、レベル計算手段１０１Ｆ−１と、時間平滑手段１０１Ｆ−２と、ディップホールド手段１０１Ｆ−３とを備える。
【００２４】
レベル計算手段１０１Ｆ−１は、集音信号XF(ω,n)の大きさを求める。大きさとは、集音信号XF(ω,n)の絶対値｜XF(ω,n)｜、又は、そのパワー｜XF(ω,n)｜2であり、レベル計算手段１０１Ｆ−１は、少なくとも何れかの値を計算により求める。大きさとはレベルと称しても良い値である。
【００２５】
そして、時間平滑手段１０１Ｆ−２は、絶対値若しくはパワーで表される集音信号のレベルを時間平滑化した集音信号レベルZF(ω,n)を計算する（式（１）または式（２））。式（１），（２）のαは平滑化係数であり、０以上１未満の値を取る。１に近いほど長い時間での平滑化が行われる。
ZF(ω,n)=αZF(ω,n-1)+(1-α)｜XF(ω,n)｜     (1)
または
ZF(ω,n)=αZF(ω,n-1)+(1-α)｜XF(ω,n)｜2     (2)
【００２６】
ディップホールド手段１０１Ｆ−３は、時間平滑後の集音信号レベルZF(ω,n)に対して、例えば次式に示す最小値を保持するディップホールド処理を行い、雑音レベルNF(ω,n)を求める。
NF(ω,n)=Z(ω,n)    for NF(ω,n-1)≧Z(ω,n)
NF(ω,n)=uZ(ω,n-1)    for NF(ω,n-1)<Z(ω,n)
【００２７】
１フレーム前の雑音レベルNF(ω,n-1)が、時間平滑化した集音信号レベルZ(ω,n)よりも大きい場合は、推定する雑音レベルNF(ω,n)に時間平滑化した集音信号レベルZ(ω,n)を代入し、それ以外の場合は、1フレーム前の雑音レベルNF(ω,n-1)に1以上の定数uを乗じて僅かにノイズレベルを上昇させる。定数uは予め設定しておく。uは雑音レベルの上昇係数であり、1に近いほど穏やかなノイズレベルの上昇となる。
【００２８】
同様に、雑音レベル推定部１０１Ｒは、集音信号XR(ω,n)を入力とし、集音信号XRに含まれる雑音成分の大きさの推定値である雑音レベルNR(ω,n)を求め（Ｓ１０１Ｒ）、出力する。
【００２９】
＜抑圧量設定部１０３Ｒ，１０３Ｆ＞
抑圧量設定部１０３Ｒは、雑音レベルNF(ω,n),NR(ω,n)を入力とする。以下の処理を行い、雑音抑圧量PFを求め（Ｓ１０３Ｒ）、出力する。図６は、抑圧量設定部１０３Ｒ，１０３Ｆの処理フローの例を示す。
【００３０】
(1)抑圧量設定部１０３Ｒは、マイク９１Ｆ側で集音された騒音を、そのままスピーカ９２Ｒから再生した場合の受聴位置での雑音の大きさの推定値である騒音レベル（以下、再生騒音レベルともいう）を計算する。これは、あらかじめ測定などで求めておいた定数を雑音レベルNF(ω,n)に乗じることで求められる。例えば、後席に図示しないマイクをセットしておき、スピーカ９２Ｒから既知の音量の信号を再生し、再生音をマイクで集音する。なお、図示しないマイクは、例えば後席の受聴位置に相当するところに設置する。そして、既知の音量と集音した信号の音量との比を定数として求める。言い換えると、抑圧量設定部１０３Ｒは、雑音レベルNF(ω,n)をスピーカ９２Ｒから再生した場合の後席の搭乗者の位置での雑音の大きさの推定値である再生騒音レベルを求める（Ｓ１０３−１）。
【００３１】
(2)抑圧量設定部１０３Ｒは、スピーカ９２Ｒ側に設置されているマイク９１Ｒの集音信号XR(ω,n)から求めた雑音レベルNR(ω,n)に、あらかじめ測定などで求めておいた定数を乗じ、第二騒音レベルを求める。例えば、後席に図示しないマイクをセットしておき、雑音に相当する音響信号を発生させ、再生音をマイク９１Ｒと図示しないマイクで集音する。なお、雑音に相当する音響信号は、想定される雑音の音源位置から発生させる。そして、マイク９１Ｒで集音した信号の音量と図示しないマイクで集音した信号の音量との比を定数として求める。これは、送話用のマイクでの雑音レベルと受聴位置での雑音レベルは異なるため、補正するためである。なお、雑音に相当する音響信号の音量は、比を求めるために適切な音量とすればよく、スピーカで雑音に相当する音響信号を再生してもよいし、実際に車両を走行させたり、空調機器（エアコン等）を稼働させたり、車載用音響装置(カーオーディオ装置等)のスピーカで音楽を再生し、雑音を発生させてもよい。言い換えると、抑圧量設定部１０３Ｒは、後席の搭乗者の位置での、雑音レベルNR(ω,n)に対応する雑音の大きさの推定値である第二騒音レベルを求める（Ｓ１０３−２）。
【００３２】
(3)抑圧量設定部１０３Ｒは、第二騒音レベルに対する再生騒音レベルの比（再生騒音レベル/第二騒音レベル）を求める（Ｓ１０３−３）。
【００３３】
(4)抑圧量設定部１０３Ｒは、この比と雑音抑圧量PFとの積が予め設定した定数A(1.0以下の定数)となるように雑音抑圧量PFを求める（Ｓ１０３−４）。つまり、次式により雑音抑圧量PFを求める。
PF=A×第二騒音レベル/再生騒音レベル
この式から分かるように雑音抑圧量PFは第二騒音レベルが大きいほど大きくなり、第二騒音レベルが小さいほど小さくなる。なお、第二騒音レベルは、雑音レベルNR(ω,n)に、あらかじめ測定などで求めておいた定数を乗じた値なので、雑音抑圧量PFは雑音レベルNR(ω,n)が大きいほど大きくなり、雑音レベルNR(ω,n)が小さいほど小さくなるとも言える。
【００３４】
(5)PFが1より大きい場合は（Ｓ１０３−５）、雑音抑圧は不要ということなのでPF=1とする（Ｓ１０３−６）。
【００３５】
オーバーオールの騒音レベル(周波数ごとの騒音レベルの総和)から雑音抑圧量PF(n)を求めてもよいし、周波数ごとの騒音レベルから周波数ごとの雑音抑圧量PF(ω,n)を求めてもよい。本実施例では周波数ごとの雑音抑圧量PF(ω,n)を求めるものとする。
【００３６】
抑圧量設定部１０３Ｆも同様に、雑音レベルNR(ω,n),NF(ω,n)を入力とし、前席と後席との関係を入れ替えて同様の処理を行い、雑音抑圧量PRを求め（Ｓ１０３Ｆ）、出力する。
【００３７】
人間は周囲の（スピーカ９２Ｆ，９２Ｒから放音されるものではなく、周囲環境から生じる）雑音(以下、環境雑音ともいう)が大きいほどスピーカから拡声される雑音を知覚しにくくなる。そこで、本実施形態では、放音するスピーカ(例えばスピーカ９２Ｒ)側の環境雑音を推定し、どの程度の（スピーカ９２Ｒの再生音に含まれる）雑音であれば人間が感知しないかを推定し、スピーカ（例えばスピーカ９２Ｆ）から放音する音を集音したマイク（例えばマイク９１Ｆ）の周辺から生じる第二の環境雑音をどの程度抑圧すれば人間が感知しない雑音（スピーカ９２Ｒの再生音に含まれる雑音）のレベルにすることができるかに基づいて雑音抑圧量を推定する。要は、スピーカ９２Ｒ側の環境雑音とマイク９１Ｆ側の第二の環境雑音とを入力し、第二の環境雑音に起因する、かつ、人間が感知しない程度の雑音のレベルを得る。
【００３８】
＜雑音抑圧部９４Ｆ，９４Ｒ＞
雑音抑圧部９４Ｒは、集音信号XF(ω,n)と雑音抑圧量PF(ω,n)とを入力とし、集音信号XF(ω,n)に雑音抑圧量PF(ω,n)を乗じた再生信号YR(ω,n)=PF(ω,n)XF(ω,n)を求め、スピーカ９２Ｒに出力する。
【００３９】
同様に雑音抑圧部９４Ｆは、集音信号XR(ω,n)と雑音抑圧量PR(ω,n)とを入力とし、再生信号YF(ω,n)=PR(ω,n)XR(ω,n)を求め、スピーカ９２Ｆに出力する。
【００４０】
スピーカ９２Ｒ，９２Ｆでは、それぞれ再生信号YR(ω,n),YF(ω,n)を再生する。
【００４１】
＜効果＞
以上の構成により、適切な雑音抑圧量に設定することができる。例えば、受聴位置でスピーカからの再生される騒音を知覚できない程度まで雑音抑圧を行うことができ、抑圧しすぎて不要な音声劣化を生じることもない。
【００４２】
言い換えると、(1)雑音の抑圧量を大きくするほど原音と異なる音になってしまうため、雑音の抑圧量を小さくしたい、(2)スピーカから雑音を放音してしまうと不快感を感じるためできるだけ雑音を取り除きたい、という相反する2つの要求を適切な雑音抑圧量によってできる限り充足させる。また、双方向(マイク９１Ｒ-スピーカ９２Ｆとマイク９１Ｆ-スピーカ９２Ｒ)の系を用いることで、あらたなマイクを設置することなく、どちらの系についても受聴位置の騒音を観測することができる。さらに電話などと異なり会話していないときであっても観測し続けているため、騒音の違いに応じて変化するユーザの許容度に応じた雑音抑圧を行うことができる。
【００４３】
＜変形例＞
本実施形態では、3列シートで、1列目と3列目にマイクとスピーカを備えた構成としている。これは、1列目と2列目の座席、3列目と2列目の座席の場合、声が届きやすいため、多くの場合、車両内通話を必要としないためである。しかしながら、2列目にマイクとスピーカを備える構成を排除するものではなく、必要に応じて備えてもよい。また、3列シートに限らず、2列シート、4列シート以上を備える車両において本実施形態を適用してもよい。要は、車両内の共通の音場の中で、走行音やカーオーディオの再生音、その他の車外の騒音等で一般的に会話する際の音量では、互いの声が聞こえずらい場合に適用すればよい。
【００４４】
本実施形態では、前席と後席とで双方向の集音拡声処理を行っているが、片方向であっても本実施形態の集音拡声処理を適用することができる。例えば、前席の集音した信号を後席で拡声再生する構成の場合の集音拡声装置の機能ブロック図を図７に示す。各部（雑音レベル推定部１０１Ｆ，１０１Ｒと、抑圧量設定部１０３Ｒと、雑音抑圧部９４Ｒ）の処理内容は第一実施形態で説明した通りなので省略する。このような構成であっても、雑音抑圧部９４Ｒにおける適切な雑音抑圧量に設定することができる。
【００４５】
本実施形態では、集音拡声装置内の雑音レベル推定部において、雑音レベルを推定しているが、集音拡声装置外部の雑音レベル推定装置で推定した雑音レベルを集音拡声装置の入力として用いてもよい。このとき、マイク９１Ｆ，９１Ｒから得られる集音信号ではなく、雑音レベル推定用に別途設けたマイクの集音信号を用いて雑音レベルを推定してもよい。抑圧量設定部は、集音拡声装置外部の雑音レベル推定装置で推定した雑音レベルを取得するため、雑音レベル取得部ともいう。
【００４６】
＜第二実施形態＞
第一実施形態と異なる部分を中心に説明する。
【００４７】
本実施形態では、一方のマイク（例えばマイク９１Ｆ）側の騒音レベルだけから、雑音抑圧量を設定する。
【００４８】
図８は第二実施形態に係る集音拡声装置の機能ブロック図を、図９はその処理フローを示す。
【００４９】
集音拡声装置は、雑音レベル推定部１０１Ｆと、抑圧量設定部２０３Ｒと、雑音抑圧部９４Ｒとを含む。
【００５０】
集音拡声装置は、マイク９１Ｆから得られる集音信号XFを入力とし、集音信号XFに含まれる雑音成分を抑圧して、再生信号YRを生成し、スピーカ９２Ｒに出力する。
【００５１】
第一実施形態と処理内容が異なる抑圧量設定部２０３Ｒについて説明する。
【００５２】
＜抑圧量設定部２０３Ｒ＞
抑圧量設定部２０３Ｒは、雑音レベルNF(ω,n)を入力とする。以下の処理を行い、雑音抑圧量PFを求め（Ｓ２０３Ｒ）、出力する。図１０は、抑圧量設定部２０３Ｒの処理フローの例を示す。
【００５３】
(1)抑圧量設定部２０３Ｒは、第一実施形態と同様の方法により、雑音レベルNF(ω,n)をスピーカ９２Ｒから再生した場合の後席の搭乗者の位置での雑音の大きさの推定値である再生騒音レベルを求める（Ｓ２０３−１）。
【００５４】
(2)抑圧量設定部２０３Ｒは、再生騒音レベルと雑音抑圧量PFとの積が予め設定した定数Cとなるように雑音抑圧量PFを求める（Ｓ２０３−２）。つまり、次式により雑音抑圧量PFを求める。
PF=C/再生騒音レベル
なお、定数Cは受聴位置で知覚されないと想定される再生騒音レベルである。前席後席で想定される騒音レベル差の大きさを考慮して、マイク側の騒音レベルに想定される騒音レベル差を乗じて、受聴位置で想定される最小の騒音レベルを求め、その騒音下で知覚されない再生騒音レベルがCである。
【００５５】
(3)PFが1より大きい場合は（Ｓ２０３−３）、雑音抑圧は不要ということなのでPF=1とする（Ｓ２０３−４）。
【００５６】
＜効果＞
このような構成により、再生騒音レベルが大きいほど雑音抑圧量PFを大きくすることができ、第一実施形態と同様の効果を得ることができる。
【００５７】
＜変形例＞
なお、本実施形態では、片方向の集音拡声処理を行っているが、双方向であっても本実施形態の集音拡声処理を適用することができる。例えば、双方向の集音拡声処理を行う場合の集音拡声装置の機能ブロック図を図１１に示す。方向が変わるだけで処理内容は同じため説明を省略する。
【００５８】
＜第三実施形態＞
第一実施形態と異なる部分を中心に説明する。
【００５９】
本実施形態では、雑音レベルを集音信号から推定するのではなく、車両内の雑音の大きさと相関のある情報から推定する。
【００６０】
車両内の雑音の大きさと相関のある情報とは、例えば、
(i)車両に搭載される車載用音響装置（カーオーディオ）の再生音量、
(ii)車両に搭載される空調機器（エアコン）の設定値（風量、風向き、車両内の実際の温度、設定温度等）、
(iii)車両の走行速度、
などである。あらかじめ車両内の雑音の大きさと相関のある情報とマイク側およびスピーカ側の騒音レベルの関係を求めておき、それらからマイク側およびスピーカ側の騒音レベルを推定する。
【００６１】
図１２は第三実施形態に係る集音拡声装置の機能ブロック図を、図１３はその処理フローを示す。
【００６２】
集音拡声装置は、雑音レベル推定部３０１Ｆ，３０１Ｒと、抑圧量設定部１０３Ｆ，１０３Ｒと、雑音抑圧部９４Ｆ，９４Ｒとを含む。
【００６３】
集音拡声装置は、車両内の雑音の大きさと相関のある情報と、マイク９１Ｆ，９１Ｒから得られる集音信号XF,XRを入力とし、集音信号XF,XRに含まれる雑音成分を抑圧して、再生信号YR,YFを生成し、スピーカ９２Ｒ，９２Ｆに出力する。
【００６４】
第一実施形態と処理内容が異なる雑音レベル推定部３０１Ｆ，３０１Ｒについて説明する。
【００６５】
＜雑音レベル推定部３０１Ｆ，３０１Ｒ＞
雑音レベル推定部３０１Ｆは、車両内の雑音の大きさと相関のある情報を入力とし、集音信号XFに含まれる雑音成分の大きさの推定値である雑音レベルNFを求め（Ｓ３０１Ｆ）、出力する。
【００６６】
例えば、車載用音響装置（カーオーディオ）のスピーカから各音量で雑音に相当する信号を再生し、マイク９１Ｆ，９１Ｒで集音する。集音信号の音量を車載用音響装置の再生音量に対応する雑音成分の大きさとし、スピーカの各音量と集音信号の音量とを対応付けて図示しない記憶部に記憶しておく。
【００６７】
同様に、車両に搭載される空調機器（エアコン）の各設定値で空調機器を稼働させ、マイク９１Ｆ，９１Ｒで稼働音を集音する。集音信号の音量を空調機器（エアコン）の各設定値に対応する雑音成分の大きさとし、空調機器（エアコン）の各設定値と集音信号の音量とを対応付けて図示しない記憶部に記憶しておく。
【００６８】
また、車両を各走行速度で走行させ、マイク９１Ｆ，９１Ｒで走行音を集音する。集音信号の音量を車両の各走行速度に対応する雑音成分の大きさとし、車両の各走行速度と集音信号の音量とを対応付けて図示しない記憶部に記憶しておく。
【００６９】
雑音レベル推定部３０１Ｆは、車両内の雑音の大きさと相関のある情報を受け取ると、対応する（マイク９１Ｆで集音した）集音信号の音量を図示しない記憶部から取り出し、その総和を雑音レベルNFとして求める。
【００７０】
なお、車載用音響装置（カーオーディオ）のスピーカから各音量と、空調機器（エアコン）の各設定値と、車両の各走行速度との組合せ(以下、雑音源の組合せともいう)毎に、マイク９２Ｆ，９２Ｒで集音し、集音信号の音量を各雑音源の組合せに対応する雑音成分の大きさとし、各雑音源の組合せと集音信号の音量とを対応付けて図示しない記憶部に記憶しておき、雑音レベル推定部３０１Ｆは、車両内の雑音の大きさと相関のある情報を受け取ると、対応する（マイク９１Ｆで集音した）集音信号の音量を図示しない記憶部から取り出し、その音量をそのまま雑音レベルNFとして用いてもよい。総和を取る処理を省略できるメリットがあるが、データの種類が多くなり、データ収集が煩雑になり、検索対象が増加するというデメリットがある。
【００７１】
同様に、雑音レベル推定部３０１Ｒは、車両内の雑音の大きさと相関のある情報を入力とし、集音信号XRに含まれる雑音成分の大きさの推定値である雑音レベルNR(ω,n)を求め（Ｓ３０１Ｒ）、出力する。
【００７２】
他の処理は、第一実施形態と同様なので説明を省略する。
【００７３】
＜効果＞
このような構成により、第一実施形態と同様の効果を得ることができる。
【００７４】
なお、本実施形態では、車両内の雑音の大きさと相関のある情報として、(i)車両に搭載される車載用音響装置（カーオーディオ）の再生音量、(ii)車両に搭載される空調機器（エアコン）の設定値（風量、風向き、車両内の実際の温度、設定温度等）、(iii)車両の走行速度の三つを挙げたか、このうちの少なくとも１つを車両内の雑音の大きさと相関のある情報として用いればよい。また、これ以外の車両内の雑音の大きさと相関のある情報を用いてもよい。
【００７５】
＜変形例＞
なお、本実施形態と、第一実施形態の変形例や第二実施形態と組合せてもよい。図１４は本実施形態と第一実施形態の変形例とを組合せた場合の機能ブロック図を、図１５は本実施形態と第二実施形態とを組合せた場合の機能ブロック図を示す。
【００７６】
＜その他の変形例＞
本発明は上記の実施形態及び変形例に限定されるものではない。例えば、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能である。
【００７７】
＜プログラム及び記録媒体＞
また、上記の実施形態及び変形例で説明した各装置における各種の処理機能をコンピュータによって実現してもよい。その場合、各装置が有すべき機能の処理内容はプログラムによって記述される。そして、このプログラムをコンピュータで実行することにより、上記各装置における各種の処理機能がコンピュータ上で実現される。
【００７８】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００７９】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させてもよい。
【００８０】
このようなプログラムを実行するコンピュータは、例えば、まず、可搬型記録媒体に記録されたプログラムもしくはサーバコンピュータから転送されたプログラムを、一旦、自己の記憶部に格納する。そして、処理の実行時、このコンピュータは、自己の記憶部に格納されたプログラムを読み取り、読み取ったプログラムに従った処理を実行する。また、このプログラムの別の実施形態として、コンピュータが可搬型記録媒体から直接プログラムを読み取り、そのプログラムに従った処理を実行することとしてもよい。さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、プログラムには、電子計算機による処理の用に供する情報であってプログラムに準ずるもの（コンピュータに対する直接の指令ではないがコンピュータの処理を規定する性質を有するデータ等）を含むものとする。
【００８１】
また、コンピュータ上で所定のプログラムを実行させることにより、各装置を構成することとしたが、これらの処理内容の少なくとも一部をハードウェア的に実現することとしてもよい。
【図１】
2020027062.tif 000003
【図２】
2020027062.tif 000004
【図３】
2020027062.tif 000005
【図４】
2020027062.tif 000006
【図５】
2020027062.tif 000007
【図６】
2020027062.tif 000008
【図７】
2020027062.tif 000009
【図８】
2020027062.tif 000010
【図９】
2020027062.tif 000011
【図１０】
2020027062.tif 000012
【図１１】
2020027062.tif 000013
【図１２】
2020027062.tif 000014
【図１３】
2020027062.tif 000015
【図１４】
2020027062.tif 000016
【図１５】
2020027062.tif 000017
【国際調査報告】
2020027062.tif 000018
2020027062.tif 000019
2020027062.tif 000020
2020027062.tif 000021